(57)【要約】【課題】  手動による減速度制御およびマニュアル変速制御が可能な車両の制御装置において、それ等の操作系統を共通化する。【解決手段】  運転者の手動操作による減速度制御（Ｅモード）およびレンジ切換制御（Ｓモード）が、共通のシフトレバー７２およびＤｅｃｅｌ／−スイッチ８０、Ｃａｎ−Ｄｅｃｅｌ／＋スイッチ８２を用いて行なわれるとともに、モード切換スイッチ７８によってＥモードとＳモードとが切り換えられるため、それ等の手動操作部材や操作検出手段をモード毎に別々に設ける場合に比較して、装置が全体として簡単且つ安価でコンパクトに構成されるとともに、操作性が向上する。【選択図】      図５
2006313002.tif 000002
【特許請求の範囲】
【請求項１】
運転者の手動操作に従って車両の減速度を制御する減速度制御手段と、
運転者の手動操作に従って自動変速機のギヤ段および変速レンジの少なくとも一方を切り換えるマニュアル変速制御手段と、
を有する車両の制御装置において、
前記減速度制御手段によって減速度の制御が行なわれる減速度制御モードと、前記マニュアル変速制御手段によって自動変速機の変速制御が行なわれるマニュアル変速モードとを、運転者の操作で選択できるモード選択手段と、
前記減速度制御モードおよび前記マニュアル変速モードにおいて、運転者により共通の手動操作が行なわれる手動操作部材と、
該手動操作部材の操作状態を検出する操作検出手段と、
前記モード選択手段によって前記減速度制御モードが選択された場合は、前記操作検出手段によって検出される前記手動操作部材の操作に従って前記減速度制御手段に前記減速度制御を実行させ、該モード選択手段によって前記マニュアル変速モードが選択された場合は、前記操作検出手段によって検出される前記手動操作部材の操作に従って前記マニュアル変速制御手段に前記自動変速機の変速制御を実行させるモード切換制御手段と、
を有することを特徴とする車両の制御装置。
【請求項２】
前記マニュアル変速制御手段は、運転者の手動操作に従って自動変速機のギヤ段を切り換えるギヤ段切換制御手段、および該自動変速機の変速レンジを切り換えるレンジ切換制御手段を備えており、
前記モード選択手段は、前記マニュアル変速モードとして前記ギヤ段切換制御手段によってギヤ段が切り換えられるギヤ段切換モード、および前記レンジ切換制御手段によって変速レンジが切り換えられるレンジ切換モードを選択できる
ことを特徴とする請求項１に記載の車両の制御装置。
【請求項３】
前記モード選択手段および前記モード切換制御手段の何れかにより、前記減速度制御モードと前記ギヤ段切換モードとの直接切換が不可とされている
ことを特徴とする請求項２に記載の車両の制御装置。
【請求項４】
前記モード切換制御手段は、車両が停車状態にないときは前記モード選択手段の操作に拘らず前記減速度制御モードと前記マニュアル変速モードとの切換を禁止する
ことを特徴とする請求項１〜３の何れか１項に記載の車両の制御装置。
【請求項５】
前記減速度制御モードでは、前記減速度を変更する際の前記手動操作部材の操作方法を表示し、前記マニュアル変速モードでは、前記自動変速機をマニュアル変速する際の前記手動操作部材の操作方法を表示するガイド表示手段を有する
ことを特徴とする請求項１〜４の何れか１項に記載の車両の制御装置。
【請求項６】
前記モード切換制御手段は、前記減速度制御モードおよび前記マニュアル変速モードの何れか一方が実行不可の時には他方のモードに強制的に切り換える
ことを特徴とする請求項１〜５の何れか１項に記載の車両の制御装置。
【請求項７】
前記モード切換制御手段は、車両のメインスイッチがオン操作された以後の初期モードを該メインスイッチがオフ操作された時に設定されていた最終のモードに設定する初期モード設定手段を備える
ことを特徴とする請求項１〜６の何れか１項に記載の車両の制御装置。
【請求項８】
前記モード切換制御手段は、車両のメインスイッチがオン操作された以後の初期モードを運転者の手動操作によって設定されたモードに設定する初期モード設定手段を備える
ことを特徴とする請求項１〜６の何れか１項に記載の車両の制御装置。
【請求項９】
前記手動操作部材は、付勢手段により自動的に復帰する中立位置を挟んで両側に定められた第１位置および第２位置に操作可能な操作レバーであり、
前記減速度制御手段は、前記減速度制御モードが選択された場合に、前記操作レバーが前記第１位置に操作される毎に減速度を小さくし、且つ該操作レバーが前記第２位置に操作される毎に減速度を大きくするように車両の減速度を制御し、
前記マニュアル変速制御手段は、前記マニュアル変速モードが選択された場合に、前記操作レバーが前記第１位置に操作される毎に前記自動変速機のギヤ段および変速レンジの少なくとも一方をアップし、該操作レバーが前記第２位置に操作される毎に前記自動変速機のギヤ段および変速レンジの少なくとも一方をダウンする
ことを特徴とする請求項１〜８の何れか１項に記載の車両の制御装置。
【発明の詳細な説明】
【技術分野】
【０００１】
本発明は車両の制御装置に係り、特に、運転者の手動操作に応じた減速度制御およびマニュアル変速制御が共に可能な車両の制御装置において、それ等の操作系統を簡略化する技術に関するものである。
【背景技術】
【０００２】
(a) 運転者の手動操作に従って車両の減速度を制御する減速度制御手段と、(b) 運転者の手動操作に従って自動変速機のギヤ段および変速レンジの少なくとも一方を切り換えるマニュアル変速制御手段と、を有する車両が提案されている。特許文献１に記載の車両はその一例で、複数の変速レンジを選択できる複数の操作位置をシフトレバーに設けるとともに、そのシフトパターンに隣接して減速度調整用の操作位置を設け、共通のシフトレバーを用いて変速レンジおよび減速度を共に変更できるようにしたり、減速度を変更できるスライドスイッチをシフトレバーとは別に設けたり、変速レンジを切り換えるためのスイッチをステアリング設けたりするなど、種々の態様が提案されている。
【０００３】
【特許文献１】特再表ＷＯ００／４６０６３号公報
【発明の開示】
【発明が解決しようとする課題】
【０００４】
ところで、このような手動による減速度制御および変速制御は、運転者の好みや運転条件等に応じて選択的に行なわれるものであるが、従来は操作部材そのものを別々に設けたり、操作部材は共通であっても操作位置が異なるなど、手動変速用の操作系統と減速度制御用の操作系統とが別々に構成されていたため、部品点数が多くなって高価になるとともに、大きな配置スペースが必要となったり、操作位置が多くなって操作性が損なわれたりする問題があった。
【０００５】
本発明は以上の事情を背景として為されたもので、その目的とするところは、手動による減速度制御およびマニュアル変速制御が可能な車両の制御装置において、それ等の操作系統を共通化することにより装置を簡単且つ安価でコンパクトに構成するとともに、操作性を向上させることにある。
【課題を解決するための手段】
【０００６】
かかる目的を達成するために、第１発明は、(a) 運転者の手動操作に従って車両の減速度を制御する減速度制御手段と、(b) 運転者の手動操作に従って自動変速機のギヤ段および変速レンジの少なくとも一方を切り換えるマニュアル変速制御手段と、を有する車両の制御装置において、(c) 前記減速度制御手段によって減速度の制御が行なわれる減速度制御モードと、前記マニュアル変速制御手段によって自動変速機の変速制御が行なわれるマニュアル変速モードとを、運転者の操作で選択できるモード選択手段と、(d) 前記減速度制御モードおよび前記マニュアル変速モードにおいて、運転者により共通の手動操作が行なわれる手動操作部材と、(e) その手動操作部材の操作状態を検出する操作検出手段と、(f) 前記モード選択手段によって前記減速度制御モードが選択された場合は、前記操作検出手段によって検出される前記手動操作部材の操作に従って前記減速度制御手段に前記減速度制御を実行させ、そのモード選択手段によって前記マニュアル変速モードが選択された場合は、前記操作検出手段によって検出される前記手動操作部材の操作に従って前記マニュアル変速制御手段に前記自動変速機の変速制御を実行させるモード切換制御手段と、を有することを特徴とする。
【０００７】
第２発明は、第１発明の車両の制御装置において、(a) 前記マニュアル変速制御手段は、運転者の手動操作に従って自動変速機のギヤ段を切り換えるギヤ段切換制御手段、およびその自動変速機の変速レンジを切り換えるレンジ切換制御手段を備えており、(b) 前記モード選択手段は、前記マニュアル変速モードとして前記ギヤ段切換制御手段によってギヤ段が切り換えられるギヤ段切換モード、および前記レンジ切換制御手段によって変速レンジが切り換えられるレンジ切換モードを選択できることを特徴とする。
【０００８】
第３発明は、第２発明の車両の制御装置において、前記モード選択手段および前記モード切換制御手段の何れかにより、前記減速度制御モードと前記ギヤ段切換モードとの直接切換が不可とされていることを特徴とする。
【０００９】
第４発明は、第１発明〜第３発明の何れかの車両の制御装置において、前記モード切換制御手段は、車両が停車状態にないときは前記モード選択手段の操作に拘らず前記減速度制御モードと前記マニュアル変速モードとの切換を禁止することを特徴とする。
【００１０】
第５発明は、第１発明〜第４発明の何れかの車両の制御装置において、前記減速度制御モードでは、前記減速度を変更する際の前記手動操作部材の操作方法を表示し、前記マニュアル変速モードでは、前記自動変速機をマニュアル変速する際の前記手動操作部材の操作方法を表示するガイド表示手段を有することを特徴とする。
【００１１】
第６発明は、第１発明〜第５発明の何れかの車両の制御装置において、前記モード切換制御手段は、前記減速度制御モードおよび前記マニュアル変速モードの何れか一方が実行不可の時には他方のモードに強制的に切り換えることを特徴とする。
【００１２】
第７発明は、第１発明〜第６発明の何れかの車両の制御装置において、前記モード切換制御手段は、車両のメインスイッチがオン操作された以後の初期モードをそのメインスイッチがオフ操作された時に設定されていた最終のモードに設定する初期モード設定手段を備えることを特徴とする。
【００１３】
第８発明は、第１発明〜第６発明の何れかの車両の制御装置において、前記モード切換制御手段は、車両のメインスイッチがオン操作された以後の初期モードを運転者の手動操作によって設定されたモードに設定する初期モード設定手段を備えることを特徴とする。
【００１４】
第９発明は、第１発明〜第８発明の何れかの車両の制御装置において、(a) 前記手動操作部材は、付勢手段により自動的に復帰する中立位置を挟んで両側に定められた第１位置および第２位置に操作可能な操作レバーであり、(b) 前記減速度制御手段は、前記減速度制御モードが選択された場合に、前記操作レバーが前記第１位置に操作される毎に減速度を小さくし、且つその操作レバーが前記第２位置に操作される毎に減速度を大きくするように車両の減速度を制御し、(c) 前記マニュアル変速制御手段は、前記マニュアル変速モードが選択された場合に、前記操作レバーが前記第１位置に操作される毎に前記自動変速機のギヤ段および変速レンジの少なくとも一方をアップし、その操作レバーが前記第２位置に操作される毎に前記自動変速機のギヤ段および変速レンジの少なくとも一方をダウンすることを特徴とする。
【発明の効果】
【００１５】
このような車両の制御装置においては、手動操作部材およびその手動操作部材の操作状態を検出する操作検出手段が、減速度制御モードおよびマニュアル変速モードにおいて共通して用いられ、モード選択手段によって減速度制御モードが選択されると、操作検出手段によって検出される手動操作部材の操作に従って減速度制御が行なわれる一方、マニュアル変速モードが選択されると、操作検出手段によって検出される手動操作部材の操作に従って自動変速機の変速制御が行なわれる。このように、運転者の手動操作による減速度制御および変速制御が、共通の手動操作部材および操作検出手段を用いて行なわれるため、それ等の手動操作部材や操作検出手段をモード毎に別々に設ける場合に比較して、装置が全体として簡単且つ安価でコンパクトに構成されるとともに、操作性が向上する。
【００１６】
第２発明では、マニュアル変速モードとしてギヤ段切換モードおよびレンジ切換モードを有しているため、運転者の好みにあったマニュアル変速態様を選択することができる。すなわち、上記変速レンジは、自動的に変速が行われるギヤ段や変速比の範囲で、そのギヤ段や変速比の範囲が異なる複数の変速レンジが定められており、マニュアル変速制御手段は、その複数の変速レンジを運転者の手動操作に従って切り換えたり（レンジ切換モード）、変速比が異なる複数のギヤ段を運転者の手動操作に従って直接切り換えたり（ギヤ段切換モード）することができるように構成され、運転者はモード選択手段によりこれ等のレンジ切換モードおよびギヤ段切換モードを任意に選択できることから、運転者の好みにあったマニュアル変速態様を選択可能となるのである。
【００１７】
第３発明では、減速度制御モードとギヤ段切換モードとの直接切換が不可とされているため、モード選択手段の誤操作などにより、車両の駆動力が大きく変化するなどして運転者に違和感を生じさせることが防止される。すなわち、ギヤ段切換モードは、変速比が異なる複数のギヤ段を運転者の手動操作に従って直接切り換えるものであるため、減速度制御モードとギヤ段切換モードとの直接切換によって生じる駆動力変化は、減速度制御モードとレンジ切換モードとの直接切換によって生じる駆動力変化よりも相対的に大きくなる可能性がある。しかし、減速度制御モードとギヤ段切換モードとの直接切換が不可とされているため、モード選択手段の誤操作などが生じたとしても、駆動力変化が小さくなり、運転者に違和感を生じさせることが防止される。
【００１８】
なお、上記駆動力は、車両を走行させる正側の駆動力だけでなく、エンジンブレーキや回生制動などの動力源ブレーキによる制動力すなわち負の駆動力も含む。
【００１９】
第４発明では、車両が停車状態にないときは、つまり車両の走行中は、モード選択手段の操作に拘らず減速度制御モードとマニュアル変速モードとの切換が禁止されるため、モード選択手段の誤操作などにより、走行中に車両の駆動力が変化するなどして運転者に違和感を生じさせることが防止される。
【００２０】
第５発明では、減速度制御モードおよびマニュアル変速モード毎に手動操作部材の操作方法がガイド表示手段によって表示されるため、単にモード名を表示するだけの場合に比較して、手動操作部材の操作が容易になるとともに誤操作が抑制される。
【００２１】
第６発明では、減速度制御モードおよびマニュアル変速モードの何れか一方がフェール等で実行不可の時には他方のモードに強制的に切り換えられるため、例えば走行中にフェールした場合でも、その他方のモードで駆動力を制御しながら走行することができる。
【００２２】
第７発明では、車両のメインスイッチがオン操作された以後の初期モードとして、メインスイッチがオフ操作された時に設定されていた最終のモードが設定されることから、初期モードの設定に運転者の意図を反映させることができる。
【００２３】
第８発明では、車両のメインスイッチがオン操作された以後の初期モードとして、運転者の手動操作によって設定されたモードが設定されることから、初期モードの設定に運転者の意図を反映させることができる。
【００２４】
第９発明では、操作レバーが中立位置から第１位置に操作されると、減速度制御モードが選択されている場合には車両の減速度が小さくされるとともに、マニュアル変速モードが選択されている場合には自動変速機のギヤ段および変速レンジの少なくとも一方がアップされる。また、操作レバーが中立位置から第２位置に操作されると、減速度制御モードが選択されている場合には車両の減速度が大きくされるとともに、マニュアル変速モードが選択されている場合には自動変速機のギヤ段および変速レンジの少なくとも一方がダウンされる。ここで、車両減速時において、自動変速機のギヤ段および変速レンジの少なくとも一方がアップされると車両の減速度が小さくなり、ギヤ段および変速レンジの少なくとも一方がダウンされると車両の減速度が大きくなる。このように、マニュアル変速モードが選択されている場合であっても、減速度制御モードが選択されている場合と同様、第１位置は車両の減速度を小さくする操作位置とされ、第２位置は車両の減速度を大きくする操作位置とされるので、操作性が向上する。
【００２５】
なお、上記アップは自動変速機の変速比を小さくする変速で、動力源ブレーキによる制動力が小さくなって減速度が小さくなる。また、ダウンは自動変速機の変速比を大きくする変速で、動力源ブレーキによる制動力が大きくなって減速度が大きくなる。
【発明を実施するための最良の形態】
【００２６】
本発明の車両の制御装置は、例えばエンジンおよび回転機が駆動輪との間で動力伝達可能に設けられている車両に好適に適用されるが、エンジンおよび回転機の何れか一方のみが駆動輪との間で動力伝達可能に設けられているものでも良いなど、種々の車両に適用され得る。回転機は回転電気機械（ＪＩＳ  Ｚ９２１２）のことで、電気エネルギーを回転運動に変換する電動モータや、回転運動を電気エネルギーに変換する発電機、或いはその両方の機能を有するモータジェネレータを含む。
【００２７】
本発明は、エンジンのみを動力源とするエンジン駆動車両や、電動モータ或いはモータジェネレータのみを動力源として備えている電気自動車、エンジンおよび電動モータ或いはモータジェネレータの両方を動力源として備えているハイブリッド車両など、種々の車両に適用され得る。ハイブリッド車両には、エンジンの動力を直接駆動輪に伝達可能なパラレルハイブリッド車両と、エンジンからの動力は発電にのみ使用され駆動輪には直接伝達されないシリーズハイブリッド車両があり、何れにも適用可能である。
【００２８】
減速度制御手段は、例えば手動操作部材の操作に従って設定される目標減速度に応じてブレーキ力を制御するように構成され、例えばエンジンと駆動輪との間の動力伝達経路に設けられた自動変速機のギヤ段や変速比を変更してエンジンブレーキ力を制御したり、動力伝達経路に接続された回転機のトルクを制御したりして、所定のブレーキ力を発生させる。回転機のトルク制御は、回生制動トルクや逆回転方向の力行トルクによるブレーキ力の増大、或いは正回転方向の力行トルクによるブレーキ力の低減等により、所定のブレーキ力を発生するように行われる。このような動力源ブレーキの他に、車輪に設けられたホイールブレーキ等の他の制動装置を用いてブレーキ力を制御することもできる。エンジンの種類によっては、吸排気バルブの開閉タイミングやリフト量、或いはスロットル弁開度などを制御してエンジンブレーキ力を制御することもできるなど、種々の態様が可能である。
【００２９】
マニュアル変速制御手段は、第２発明のようにギヤ段切換およびレンジ切換の両方が可能なものでも良いが、何れか一方のみが可能であっても良い。自動変速機としては、遊星歯車式や平行軸式等の有段変速機に限らず、ベルト式、トロイダル型等の無段変速機を用いることもできる。
【００３０】
手動操作部材は、操作回数や操作時間により減速度を増減したり、ギヤ段や変速レンジをアップダウンさせたりするシーケンシャル型のものが好適に用いられ、例えば第９発明のように中立位置を挟んで両側に定められた第１位置および第２位置へ操作される単一の操作レバーや、減速度の増加または減少、およびアップシフトまたはダウンシフトで別個に操作される一対の操作レバー、操作スイッチなどで構成される。段階的または連続的に変化する多数の減速度レベルや、ギヤ段、変速レンジに応じて多数の操作位置が設けられた操作レバー、出力が連続的或いは断続的に変化するスライドスイッチのノブ等を手動操作部材として用いることもできる。
【００３１】
手動操作部材は、例えば運転席横のセンターコンソール部分やステアリングホイール、ステアリングコラム、インストルメントパネル等、運転席近傍の種々の部位に配設することが可能で、例えば従来のシフトレバーをそのまま用いることも可能で、減速度制御およびマニュアル変速制御で共通に使用する新たなレバーポジションを設ければ良い。シフトレバーとは別個に手動操作部材を設けても良いことは勿論である。
【００３２】
操作検出手段は、上記手動操作部材の操作によって接点が開閉するＯＮ−ＯＦＦスイッチや、多数の操作位置に応じて出力が連続的或いは断続的に変化するスライドスイッチなどが用いられる。
【００３３】
モード選択手段は、例えば自動復帰型のＯＮ−ＯＦＦスイッチにて構成され、オン操作される毎にモードを切り換えるように構成されるが、モードの数だけ選択スイッチを設けたり、２つの接点を有するシーソー型のスイッチを採用したり、或いはタッチパネルなどの初期設定操作装置を用いて予め何れかのモードに設定しておくものでも良いなど、種々の態様が可能である。
【００３４】
第３発明で、「減速度制御モード」と「ギヤ段切換モード」との直接切換を不可とするには、例えばモード切換制御手段によってそのモード切換を禁止するだけでも良いが、単一のＯＮ−ＯＦＦスイッチの操作に従ってモード切換を行なう場合には、現在のモードが「減速度制御モード」または「ギヤ段切換モード」であれば「レンジ切換モード」に切り換え、現在のモードが「レンジ切換モード」の場合には、例えば一つ前のモードを記憶しておいてそれと別のモードに切り換えたり、加減速等の運転状態に応じて切り換えるべきモードを判断したりするなど、種々の態様が可能である。単純に、オン操作毎に「減速度制御モード」→「レンジ切換モード」→「ギヤ段切換モード」→「レンジ切換モード」→「減速度制御モード」の順番でモード切換を繰り返すだけでも良い。
【００３５】
また、モード選択スイッチとして例えば一対のＯＮ−ＯＦＦスイッチやシーソー型のスイッチを設け、一方のスイッチのオン操作では「減速度制御モード」→「レンジ切換モード」→「ギヤ段切換モード」の順番でモード切換が行なわれ、他方のスイッチのオン操作では逆方向にモード切換が行なわれるようにしても良い。
【００３６】
第４発明では、例えば車速が略０の所定車速以下か否かを判断してモード切換を許可するように構成されるが、他の発明の実施に際しては、走行中においてもモード切換が許可されるようになっていも良いし、シフトレバーの操作位置が、動力伝達を遮断するＮ（ニュートラル）や駐車用のＰ（パーキング）の場合にモード切換を許可するようになっていても良いなど、種々の態様が可能である。
【００３７】
第４発明は減速度制御モードとマニュアル変速モードとの切換に関するものであり、第２発明のように、マニュアル変速モードとしてギヤ段切換モードおよびレンジ切換モードを有する場合には、それ等のギヤ段切換モードとレンジ切換モードとの切換を含めて、車両走行中は全てのモード切換が禁止されるようになっていても良いし、ギヤ段切換モードとレンジ切換モードとの切換については車両走行中でも許可されるようになっていても良い。
【００３８】
第５発明のガイド表示手段は、例えば操作方法を文章で表示するものでも良いが、手動操作部材の操作位置等を図形表示するとともに、各操作位置へ操作した場合の指示内容（減速度の増減やアップシフト、ダウンシフトなど）が一目で分かるように単純化或いは記号化、図式化したものを、操作位置と関連付けて表示することが望ましい。なお、他の発明の実施に際しては、このようなガイド表示は必ずしも必要ない。
【００３９】
第６発明は、減速度制御モードおよびマニュアル変速モードをフェール時に強制的に切り換える場合であるが、マニュアル変速モードとしてギヤ段切換モードおよびレンジ切換モードを有し、減速度制御モードと合わせて３つのモードが存在する場合には、例えば以下のように強制的（自動的）に切り換えることが望ましい。
(1) １種類のモードが実行不可の場合
減速度制御モードまたはギヤ段切換モードが実行不可の時はレンジ切換モードへ移行し、レンジ切換モードが実行不可の時は減速度制御モードへ移行する。
(2) ２種類のモードが実行不可の場合
残りの正常なモードへ移行する。
(3) ３種類とも実行不可の場合
自動変速モード等の基本運転状態へ移行する。
【００４０】
第７発明では、例えば車両のメインスイッチ（エンジン駆動車両のイグニッションスイッチなど）がオフ操作された時のモードを記憶しておいて、次にメインスイッチがオン操作された時にそのモードが自動的に設定されるように構成される。自動変速機のギヤ段や変速比を予め定められた変速条件（変速マップなど）に従って自動的に切り換える自動変速モード（Ｄレンジなど）等の所定の基本運転状態を有する場合に、その基本運転状態から前記減速度制御モードまたはマニュアル変速モードへ切り換えられるとともに、その減速度制御モードまたはマニュアル変速モードから基本運転状態へ切り換えられるようになっている場合には、前記メインスイッチのオン時ではなく、その基本運転状態から切り換えられた時に減速度制御モードかマニュアル変速モードかが初期設定されるようにしても良い。その場合は、減速度制御モードまたはマニュアル変速モードから基本運転状態へ切り換えられた時のモードを記憶しておいて、そのモードを初期設定したり、予め運転者が設定したモードを初期設定したりすれば良い。
【００４１】
運転者が選択した最終のモードを初期モードとして設定する場合、そのモードを記憶するタイミングは、必ずしも前記メインスイッチのオフ時や基本運転状態への切換時である必要はなく、モード切換が行なわれる毎に初期モードメモリ等に逐次記憶・更新するようにしても良い。
【実施例】
【００４２】
以下、本発明の実施例を図面を参照しつつ詳細に説明する。
図１は、本発明が適用されたハイブリッド車両用の駆動装置の構成を説明するブロック線図で、燃料の燃焼によって動力を発生するエンジン３０、モータジェネレータ３２、トルクコンバータ３４、および自動変速機１０を、その順番で同軸上に備えており、電子制御ユニット１００によってそれぞれ作動状態が制御されるとともに、プロペラシャフトや差動歯車装置等を介して左右の駆動輪４０を回転駆動する。エンジン３０およびモータジェネレータ３２は、車両走行用の動力源として使用されるとともに、減速時には動力源ブレーキとしても使用できるもので、クランク軸とモータ軸とが互いに一体的に連結されているが、必要に応じてそれ等の間の動力伝達を接続、遮断するクラッチ等を設けることもできる。モータジェネレータ３２には、インバータ等の駆動回路４４を介してバッテリ４２が接続されており、バッテリ４２から電気エネルギーが供給されることにより電動モータとして機能して駆動力を発生する一方、発電機として用いられて回生制御されることにより車両に制動力を作用させるとともにバッテリ４２を充電する。トルクコンバータ３４は流体式動力伝達装置に相当し、ポンプ翼車がモータジェネレータ３２のモータ軸に連結されて一体的に回転駆動されるようになっている。
【００４３】
自動変速機１０は、図２の(a) に示すように、ダブルピニオン型の第１遊星歯車装置１２を主体として構成されている第１変速部１４と、シングルピニオン型の第２遊星歯車装置１６およびダブルピニオン型の第３遊星歯車装置１８を主体として構成されている第２変速部２０とを同軸線上に有し、前記トルクコンバータ３４のタービン軸に連結された入力軸２２の回転を変速して出力軸２４から駆動輪４０側へ出力する。なお、自動変速機１０やトルクコンバータ３４は中心線に対して略対称的に構成されており、図２(a) では中心線の下半分が省略されている。
【００４４】
図３は、上記自動変速機１０の第１変速部１４および第２変速部２０の各回転要素（サンギヤＳ１〜Ｓ３、キャリアＣＡ１〜ＣＡ３、リングギヤＲ１〜Ｒ３）の回転速度を直線で表すことができる共線図で、下の横線が回転速度「０」で、上の横線が回転速度「１．０」すなわち入力軸２２と同じ回転速度であり、クラッチＣ１〜Ｃ４、ブレーキＢ１、Ｂ２の作動状態（係合、解放）に応じて第１速前進ギヤ段「１ｓｔ」〜第８速前進ギヤ段「８ｔｈ」の８つの前進ギヤ段が成立させられるとともに、第１後進ギヤ段「Ｒｅｖ１」および第２後進ギヤ段「Ｒｅｖ２」の２つの後進ギヤ段が成立させられる。図２の(b) は、上記各ギヤ段とクラッチＣ１〜Ｃ４、ブレーキＢ１、Ｂ２の作動状態との関係をまとめて示す作動表で、「○」は係合、「（○）」はエンジンブレーキ時のみ係合を表している。第１速前進ギヤ段「１ｓｔ」を成立させるブレーキＢ２には並列に一方向クラッチＦ１が設けられているため、発進時（加速時）には必ずしもブレーキＢ２を係合させる必要は無いのである。また、各ギヤ段の変速比は、第１遊星歯車装置１２、第２遊星歯車装置１６、および第３遊星歯車装置１８の各ギヤ比（＝サンギヤの歯数／リングギヤの歯数）ρ１、ρ２、ρ３によって適宜定められ、図２(b) に示す変速比は、ρ１＝０．４６３、ρ２＝０．４６３、ρ３＝０．４１５の場合である。なお、図２(a) の符号２６はトランスミッションケースである。
【００４５】
図４は、上記自動変速機１０やエンジン３０などを制御するために車両に設けられた制御系統の概略を説明するブロック線図で、アクセルペダル５０の操作量Ａccがアクセル操作量センサ５２により検出されるようになっている。アクセルペダル５０は、運転者の出力要求量に応じて大きく踏み込み操作されるもので、アクセル操作部材に相当し、アクセル操作量Ａccは出力要求量に相当する。また、エンジン３０の回転速度ＮＥを検出するためのエンジン回転速度センサ５８、エンジン３０の吸入空気量を制御する電子スロットル弁の全閉状態（アイドル状態）およびその開度θTHを検出するためのアイドルスイッチ付スロットル弁開度センサ６０、エンジン３０の冷却水温Ｔw を検出するためのエンジン冷却水温センサ６２、車速Ｖ（出力軸２４の回転速度Ｎout に対応）を検出するための車速センサ６４、タービン回転速度ＮＴ（＝入力軸２２の回転速度Ｎin）を検出するためのタービン回転速度センサ６６、常用ブレーキであるフットブレーキの操作の有無を検出するためのブレーキスイッチ６８、シフトレバー７２のレバーポジション（操作位置）ＰSHを検出するためのレバーポジションセンサ７４、シフトレバー７２がＥ／Ｓポジションへ操作されたか否かを検出するＥ／Ｓポジションスイッチ７６、Ｅモード（減速度制御モード）とＳモード（レンジ切換モード）を切り換えるモード切換スイッチ７８、Ｄｅｃｅｌ／−スイッチ８０、Ｃａｎ−Ｄｅｃｅｌ／＋スイッチ８２などが設けられており、エンジン回転速度ＮＥ、スロットル弁開度θTH、エンジン冷却水温Ｔw 、車速Ｖ、タービン回転速度ＮＴ、ブレーキ操作の有無、シフトレバー７２のレバーポジションＰSH、シフトレバー７２がＥ／Ｓポジションへ操作されたか否か、モード切換指令ＳＭ、Ｄｅｃｅｌ／−指令、Ｃａｎ−Ｄｅｃｅｌ／＋指令、などを表す信号がそれぞれ電子制御ユニット１００に供給されるようになっている。また、制御系統全体をオン（アクティブ）、オフ（非アクティブ）するメインスイッチとして機能するＩＧ（イグニッション）スイッチ８４から、そのオン、オフ等の操作状態を表す信号が供給される。
【００４６】
電子制御ユニット１００にはまた、インストルメントパネル等に設けられたレバーポジションインジケータ１０２、Ｅ／Ｓモードインジケータ１０４、レンジインジケータ１０６、ギヤ段インジケータ１０８、設定減速度インジケータ１１０、Ａ／Ｔ警告灯１１２が接続されており、レバーポジションインジケータ１０２にシフトレバー７２の操作ポジションを表示し、Ｅ／Ｓモードインジケータ１０４に現在のモードがＥモード（減速度制御モード）かＳモード（レンジ切換モード）かを表示し、レンジインジケータ１０６に現在の変速レンジを表示し、ギヤ段インジケータ１０８に現在のギヤ段を表示し、設定減速度インジケータ１１０に現在の目標減速度を表示し、自動変速機１０のフェール等の異常時にＡ／Ｔ警告灯１１２を点灯表示する。
【００４７】
電子制御ユニット１００は、ＣＰＵ、ＲＡＭ、ＲＯＭ、入出力インターフェース等を備えた所謂マイクロコンピュータを含んで構成されており、ＣＰＵはＲＡＭの一時記憶機能を利用しつつ予めＲＯＭに記憶されたプログラムに従って信号処理を行うことにより、エンジン３０の出力制御やモータジェネレータ３２の力行／回生制御、自動変速機１０の変速制御などを行い、エンジン３０およびモータジェネレータ３２の作動状態が異なる複数の運転モードで走行する。運転モードとしては、例えばエンジン３０だけで駆動力を発生させて走行するエンジン走行モード、エンジン３０により駆動力を発生させて走行するとともにモータジェネレータ３２を回生制御してバッテリ４２を充電する充電走行モード、エンジン３０およびモータジェネレータ３２の両方で駆動力を発生させて走行するエンジン＋モータ走行モード、モータジェネレータ３２だけで駆動力を発生させて走行するモータ走行モード、フューエルカットによりエンジン３０に対する燃料供給を遮断してエンジンブレーキを発生させるとともに、モータジェネレータ３２を力行或いは回生制御したり自動変速機１０のギヤ段を切り換えたりすることにより、所定の動力源ブレーキを発生させる前記Ｅモード（減速度制御モード）などがある。
【００４８】
上記電子制御ユニット１００によるエンジン３０の出力制御は、前記電子スロットル弁を開閉制御する他、燃料噴射量制御のために燃料噴射装置を制御したり、点火時期制御のためにイグナイタ等の点火装置を制御したりする。電子スロットル弁の制御は、実際のアクセル操作量Ａccに基づいてスロットルアクチュエータを駆動し、アクセル操作量Ａccが増加するほどスロットル弁開度θTHを増加させる。
【００４９】
また、自動変速機１０の変速制御は、シフトレバー７２のレバーポジションＰSHに応じて行なわれる。シフトレバー７２は運転席の近傍（センターコンソール部分）に配設され、図５に示すシフトパターンに従って「Ｐ（パーキング）」、「Ｒ（リバース）」、「Ｎ（ニュートラル）」、「Ｄ（ドライブ）」、および「Ｅ／Ｓ」の各レバーポジションＰSHへ択一的に操作され、レバーポジション「Ｐ」、「Ｒ」、「Ｎ」、「Ｄ」については前記レバーポジションセンサ７４によって検出され、レバーポジション「Ｅ／Ｓ」については前記Ｅ／Ｓポジションスイッチ７６によって検出される。レバーポジション「Ｅ／Ｓ」を挟んでその前後には、「Ｃａｎ−Ｄｅｃｅｌ／＋」位置および「Ｄｅｃｅｌ／−」位置が設けられている。
【００５０】
上記レバーポジション「Ｐ」は駐車位置で、自動変速機１０は動力伝達遮断状態とされるとともに、例えばシフトレバー７２の移動操作に従ってパーキングロック機構などにより機械的に出力軸２４、すなわち駆動輪が回転不能に固定される。レバーポジション「Ｒ」は後進走行を行なう後進走行位置で、例えばシフトレバー７２の移動操作に従ってマニュアルバルブが機械的に切り換えられることにより、自動変速機１０は前記後進ギヤ段「Ｒｅｖ１」または「Ｒｅｖ２」が成立させられる。レバーポジション「Ｎ」は動力伝達遮断位置で、例えばシフトレバー７２の移動操作に従ってマニュアルバルブが機械的に切り換えられることにより、自動変速機１０はクラッチＣ１〜Ｃ４、ブレーキＢ１、Ｂ２が解放されて動力伝達遮断状態とされる。
【００５１】
レバーポジション「Ｄ」は、自動変速機１０の前進ギヤ段を自動的に切り換えて前進走行する前進走行位置すなわち前進走行ポジションで、例えばシフトレバー７２の移動操作に従ってマニュアルバルブが機械的に切り換えられることにより、総ての前進ギヤ段「１ｓｔ」〜「８ｔｈ」を成立させることが可能とされ、それ等の総ての前進ギヤ段「１ｓｔ」〜「８ｔｈ」を用いて自動的に変速する最上位のＤレンジ（フルレンジ自動変速モード）が成立させられる。すなわち、シフトレバー７２がレバーポジション「Ｄ」へ操作されると、そのことをレバーポジションセンサ７４の信号から判断してＤレンジを電気的に成立させ、第１速前進ギヤ段「１ｓｔ」〜第８速前進ギヤ段「８ｔｈ」の総ての前進ギヤ段を用いて変速制御を行う。具体的には、図示しない油圧制御回路に設けられた複数のＡＴソレノイドの励磁、非励磁を制御することにより油圧回路を切り換え、図２(b) に示すようにクラッチＣ１〜Ｃ４およびブレーキＢ１、Ｂ２の作動状態を変化させて、第１速前進ギヤ段「１ｓｔ」〜第８速前進ギヤ段「８ｔｈ」の何れかの前進ギヤ段を成立させるのである。この変速制御は、例えば図８に示すように車速Ｖおよびアクセル操作量Ａccをパラメータとして予め記憶された変速マップ等の変速条件に従って行われ、車速Ｖが低くなったりアクセル操作量Ａccが大きくなったりするに従って変速比が大きい低速側の前進ギヤ段を成立させる。このＤレンジは、基本運転状態に相当する。
【００５２】
レバーポジション「Ｅ／Ｓ」は、前記ＥモードまたはＳモードを成立させる操作ポジションで、Ｅモードは運転者の手動操作に従って減速度を制御する減速度制御モード、Ｓモードは運転者の手動操作に従って自動変速機１０の変速レンジを電気的に切り換えるレンジ切換モードであり、モード切換スイッチ７８の操作に従ってＥモードおよびＳモードの何れか一方が設定される。モード切換スイッチ７８は自動復帰型のＯＮ−ＯＦＦスイッチで、図５に示すようにシフトレバー７２の近傍に設けられており、オン操作される毎にモード切換指令ＳＭを表す信号を出力する。モード切換スイッチ７８はモード選択手段に相当し、Ｓモードすなわちレンジ切換モードはマニュアル変速モードに相当する。
【００５３】
そして、上記「Ｅ／Ｓ」ポジションの前後に設けられた「Ｃａｎ−Ｄｅｃｅｌ／＋」位置および「Ｄｅｃｅｌ／−」位置にはそれぞれ前記Ｃａｎ−Ｄｅｃｅｌ／＋スイッチ８２、Ｄｅｃｅｌ／−スイッチ８０が設けられ、シフトレバー７２がそれ等の「Ｃａｎ−Ｄｅｃｅｌ／＋」位置、「Ｄｅｃｅｌ／−」位置へ操作されたことを検出するようになっており、その操作回数に応じてシーケンシャル的に減速度制御やレンジ切換制御が行なわれる。「Ｃａｎ−Ｄｅｃｅｌ／＋」位置および「Ｄｅｃｅｌ／−」位置は何れも不安定で、シフトレバー７２はスプリング等の付勢手段により自動的に中立位置としてのレバーポジション「Ｅ／Ｓ」に戻されるとともに、Ｃａｎ−Ｄｅｃｅｌ／＋スイッチ８２、Ｄｅｃｅｌ／−スイッチ８０は自動復帰型のＯＮ−ＯＦＦスイッチで、スプリング等の付勢手段により自動的にオフ状態に復帰する。また、Ｅ／Ｓポジションスイッチ７６は、シフトレバー７２が「Ｃａｎ−Ｄｅｃｅｌ／＋」位置または「Ｄｅｃｅｌ／−」位置へ操作された場合もオン状態に保持され、ＥモードまたはＳモードが継続される。本実施例ではシフトレバー７２が手動操作部材を兼ねており、Ｃａｎ−Ｄｅｃｅｌ／＋スイッチ８２およびＤｅｃｅｌ／−スイッチ８０は操作検出手段に相当する。
【００５４】
前記電子制御ユニット１００は、上記ＥモードおよびＳモードを実行するために、図７の機能ブロック線図に示すように、モード切換制御手段１２０、マニュアル変速制御手段１２４、減速度制御手段１２６、表示制御手段１２８を機能的に備えており、モード切換制御手段１２０は更に初期モード設定手段１２２を備えている。マニュアル変速制御手段１２４は、Ｓモードが設定されている場合に、シフトレバー７２が「Ｅ／Ｓ」ポジションにおいて「Ｃａｎ−Ｄｅｃｅｌ／＋」位置または「Ｄｅｃｅｌ／−」位置へ操作される毎に、図９に示すように変速レンジをアップダウンさせる。すなわち、このＳモードでは、「Ｃａｎ−Ｄｅｃｅｌ／＋」位置は変速レンジを高速側に切り換えるアップシフト位置として機能するとともに、「Ｄｅｃｅｌ／−」位置は変速レンジを低速側へ切り換えるダウンシフト位置として機能し、シフトレバー７２がそれ等の「Ｃａｎ−Ｄｅｃｅｌ／＋」位置または「Ｄｅｃｅｌ／−」位置へ操作され、そのことが前記Ｃａｎ−Ｄｅｃｅｌ／＋スイッチ８２、Ｄｅｃｅｌ／−スイッチ８０によって検出されると、それに応じて変速レンジを切り換えるのである。図９は、予め定められた変速レンジとその変速範囲を示す図で、ギヤ段の欄の数字「１」〜「８」は第１速前進ギヤ段「１ｓｔ」〜第８速前進ギヤ段「８ｔｈ」を表しており、変速比が最も大きい最低速前進ギヤ段は何れも第１速前進ギヤ段「１ｓｔ」で、最高速前進ギヤ段が１つずつ変化している。また、各変速レンジでは、第１速前進ギヤ段「１ｓｔ」からその最高速前進ギヤ段までの範囲で、前記Ｄレンジと同じ図８の変速条件に従って自動的に変速が行なわれる。上記マニュアル変速制御手段１２４は、この実施例ではレンジ切換制御手段として機能している。
【００５５】
減速度制御手段１２６は、Ｅモードが設定されている場合に、シフトレバー７２が「Ｅ／Ｓ」ポジションにおいて「Ｃａｎ−Ｄｅｃｅｌ／＋」位置または「Ｄｅｃｅｌ／−」位置へ操作される毎に、図１０に示すように目標減速度を増減するとともに、その目標減速度が得られるように動力源ブレーキを制御する。すなわち、このＥモードでは、「Ｃａｎ−Ｄｅｃｅｌ／＋」位置は減速度を小さくする「Ｃａｎ−Ｄｅｃｅｌ」位置として機能するとともに、「Ｄｅｃｅｌ／−」位置は減速度を大きくする「Ｄｅｃｅｌ」位置として機能し、シフトレバー７２がそれ等の「Ｃａｎ−Ｄｅｃｅｌ／＋」位置または「Ｄｅｃｅｌ／−」位置へ操作され、そのことが前記Ｃａｎ−Ｄｅｃｅｌ／＋スイッチ８２、Ｄｅｃｅｌ／−スイッチ８０によって検出されると、それに応じて目標減速度を切り換えるのである。図１０は目標減速度の一例で、実線は初期値であり、例えばＤレンジすなわちフルレンジ自動変速モードによる自動変速制御の実行時にアクセルオフの惰性走行で、フューエルカット状態のエンジンブレーキのみが作用している場合の減速度であり、車速Ｖが高くなる程大きくなる。そして、この初期値よりも大きな範囲で、上記シフトレバー操作に従って、例えば一点鎖線で示すように予め定められた一定量ずつ目標減速度が増減させられる。車速Ｖの他に路面勾配や操舵角等の運転状態を考慮して目標減速度が定められるようにすることもできる。
【００５６】
そして、このように設定された目標減速度が得られるように動力源ブレーキを制御するのであるが、動力源ブレーキトルクは、自動変速機１０のギヤ段に応じて得られるエンジンブレーキトルクとモータジェネレータ３２の力行トルク或いは回生トルクとを加算したものであるため、図１１に実線で示す各前進ギヤ段におけるエンジンブレーキトルクを中心として、モータジェネレータ３２を回生制御すれば、その回生トルクに応じて動力源ブレーキトルクをそれぞれ破線で示す範囲まで増大させることができる。また、モータジェネレータ３２を力行制御すれば、その力行トルクに応じて動力源ブレーキトルクを一点鎖線で示す範囲まで減少させることが可能で、各ギヤ段において得られる動力源ブレーキトルクの範囲を互いにオーバーラップさせることができる。したがって、基本的にはモータジェネレータ３２を回生制御してバッテリ４２を充電しつつ目的とするブレーキトルクを発生させるが、バッテリ４２が満充電で充電不可の場合には、ギヤ段を下げてエンジンブレーキトルクを増大させるとともに、モータジェネレータ３２を力行制御してブレーキトルクを低下させることにより、目的とするブレーキトルクを得ることができる。図１１では、第５速前進ギヤ段「５ｔｈ」までしか記載していないが、それ以下の前進ギヤ段についても同様で、更に大きな動力源ブレーキトルクを発生させることができる。
【００５７】
一方、前記Ｓモードでは、レバーポジションインジケータ１０２に設けられたガイド表示部１１４に、表示制御手段１２８によって図６の(b) に示すように、「Ｅ／Ｓ」ポジションが「Ｓ」ポジションすなわちレンジ切換モード位置で、「Ｃａｎ−Ｄｅｃｅｌ／＋」位置が「＋」位置すなわちアップシフト位置で、「Ｄｅｃｅｌ／−」位置が「−」位置すなわちダウンシフト位置であることを、シフトレバー７２の操作位置に合わせて視覚的に表した操作ガイドが表示される。また、Ｅモードでは、表示制御手段１２８によって図６の(a) に示すように、「Ｅ／Ｓ」ポジションが「Ｅ」ポジションすなわち減速度制御モード位置で、「Ｃａｎ−Ｄｅｃｅｌ／＋」位置が「Ｃａｎ−Ｄｅｃｅｌ」位置すなわち減速度を小さくする位置で、「Ｄｅｃｅｌ／−」位置が「Ｄｅｃｅｌ」位置すなわち減速度を大きくする位置あることを、シフトレバー７２の操作位置に合わせて視覚的に表した操作ガイドが表示される。このガイド表示部１１４の操作ガイドは、シフトレバー７２が「Ｅ／Ｓ」ポジション以外の操作ポジションに保持されている場合でも、ＩＧスイッチ８４がオンの間は常時表示されるようになっている。上記ガイド表示部１１４および表示制御手段１２８によってガイド表示手段が構成されている。
【００５８】
また、図７のモード切換制御手段１２０は、モード切換スイッチ７８のオン操作に従ってモード切換指令ＳＭを表す信号が供給されることにより、ＥモードとＳモードとを切り換えるもので、図１２のフローチャートに従って信号処理を実行する。図１２のステップＳ１では、現在のモードが正常状態か否かを制御状態や制御結果、ダイアグノーシス等により判断し、正常状態であればステップＳ２以下を実行するが、フェール等で正常状態でない場合はステップＳ６以下を実行する。ステップＳ６では、Ａ／Ｔ警告灯１１２を点灯するなどのフェール表示を行い、ステップＳ７では現在と反対のモードが正常状態か否かをダイアグノーシス等により判断する。そして、反対のモードが正常状態であればステップＳ５を実行するが、反対のモードもフェール等で正常状態でない場合は、ステップＳ８でＤレンジすなわちフルレンジ自動変速モードに強制的に切り換えるとともに、表示制御手段１２８によりＥ／Ｓモードインジケータ１０４のモード表示やレバーポジションインジケータ１０２のガイド表示部１１４の操作ガイドを非表示とする。図６の(c) は、レバーポジションインジケータ１０２のガイド表示部１１４が非表示とされた場合である。
【００５９】
現在のモードが正常状態の場合に実行するステップＳ２では、モード切換スイッチ７８がオン操作されたか否かを判断し、モード切換スイッチ７８がオン操作されるとステップＳ３以下を実行するが、オン操作されていない場合はステップＳ１０を実行する。ステップＳ１０では、現在のモードを維持するとともに、表示制御手段１２８によりＥ／Ｓモードインジケータ１０４のモード表示やレバーポジションインジケータ１０２のガイド表示部１１４の操作ガイドを維持する。
【００６０】
モード切換スイッチ７８がオン操作された場合に実行するステップＳ３では、車速Ｖが予め定められた車速Ｖ１（例えば５ｋｍ／ｈ）以下の停車状態か否かを判断し、停車状態でない場合、つまり走行中である場合には、モード切換を中止して前記ステップＳ１０を実行し、停車状態になったらステップＳ４を実行する。モード切換スイッチ７８がオン操作されたことは、Ｖ＜Ｖ１となるまで記憶されている。なお、走行中のモード切換スイッチ７８のオン操作は無効である旨の表示を出して、車両停止時のオン操作のみを有効として処理するようにしても良い。
【００６１】
ステップＳ４では、切り換えるべきモードすなわち現在と反対のモードが正常状態か否かを、ステップＳ７と同様にダイアグノーシス等により判断し、正常状態であればステップＳ５を実行する。ステップＳ５では、現在と反対のモードに切り換えるとともに、表示制御手段１２８によりＥ／Ｓモードインジケータ１０４のモード表示やレバーポジションインジケータ１０２のガイド表示部１１４の操作ガイドを、その反対のモードに切り換える。
【００６２】
また、上記ステップＳ４の判断がＮＯ（否定）の場合、すなわち現在と反対のモードがフェール等で正常状態でない場合は、ステップＳ４に続いてステップＳ９を実行し、ステップＳ６と同様にＡ／Ｔ警告灯１１２を点灯するなどのフェール表示を行った後、ステップＳ１０を実行して現在のモードを維持する。
【００６３】
図７に戻って、初期モード設定手段１２２は、上記ＥモードおよびＳモードに関する初期モードの設定方法について定めたもので、例えば図１３の(a) 、(b) に示すように、ＩＧスイッチ８４がＯＦＦ位置へ操作（オフ操作）された時の最終のモードを初期モードとして設定する。図１３の(a) は、ＩＧスイッチ８４がオフ操作された時のモードを初期モードメモリ１１６（図４参照）に記憶するためのもので、ステップＱ１−１ではＩＧスイッチ８４がＯＦＦ位置へ操作されたか否かを判断し、ＯＦＦ位置へ操作されたら、ステップＱ１−２を実行してその時のモードを初期モードメモリ１１６に記憶した後、ステップＱ１−３でＩＧスイッチ８４のオフ操作に伴う終了処理（オフ動作）を実行する。また、図１３の(b) は、ＩＧスイッチ８４がＯＮ位置へ操作（オン操作）された時の処理で、ステップＱ２−１ではＩＧスイッチ８４がＯＮ位置へ操作されたか否かを判断し、ＯＮ位置へ操作されたら、ステップＱ２−２を実行して初期モードメモリ１１６に記憶されているモードを読み込んで現在のモードに設定した後、ステップＱ２−３でＩＧスイッチ８４のオン操作に伴う起動処理（オン動作）を実行する。初期モードメモリ１１６は、電源オフでも記憶内容を保持できるＳＲＡＭなどで、電子制御ユニット１００が備えている。
【００６４】
初期モード設定手段１２２はまた、運転者が任意に初期モードを設定できるようになっており、図１４のフローチャートに従って信号処理を行う。図１４のステップＲ１では、例えばタッチスイッチ機能を有するＥＭＶ（エレクトロマルチビジョン）等の操作装置により初期モード設定操作が選択されたか否かを判断し、初期モード設定操作が選択された場合は、ステップＲ２で初期モード設定画面をＥＭＶ等に表示する。そして、ステップＲ３では、そのＥＭＶ等により設定変更操作、すなわちＥモードまたはＳモードを初期モードとして設定したり、この手動操作による初期モードの設定を解除したりする操作が為されたか否かを判断し、このように設定変更操作が為されたらステップＲ４で、その設定されたモードを初期モードメモリ１１６に記憶するか、或いは手動で設定された初期モードを解除する。また、ステップＲ５では、初期モード設定操作の終了が選択されたか否かを判断し、初期モード設定操作の終了が選択された場合は、ステップＲ６で終了処理を行う。
【００６５】
このように図１４のフローチャートに従って初期モードメモリ１１６に初期モードが設定されると、前記図１３の(a) のフローチャートの実行が禁止され、図１４のフローチャートに従って設定された初期モードが図１３の(b) のフローチャートに従って常に現在のモードとして初期設定される。また、図１４の初期モード設定操作が為されなかった場合、或いはステップＲ３で手動による初期モードの設定が解除操作された場合は、図１３の(a) が実行されてＩＧスイッチ８４のオフ操作時のモードが初期モードに設定される。
【００６６】
ここで、本実施例の車両の制御装置は、シフトレバー７２が「Ｅ／Ｓ」ポジションへ操作されると、モード切換スイッチ７８の操作や初期モード設定操作などに従ってＥモードおよびＳモードの何れか一方が成立させられるとともに、その「Ｅ／Ｓ」ポジションにおけるシフトレバー７２のシーケンス操作を検出するＤｅｃｅｌ／−スイッチ８０およびＣａｎ−Ｄｅｃｅｌ／＋スイッチ８２は、そのＥモードおよびＳモードにおいて共通して用いられ、モード切換スイッチ７８等によりＥモードが選択されると、Ｄｅｃｅｌ／−スイッチ８０およびＣａｎ−Ｄｅｃｅｌ／＋スイッチ８２はそれぞれＤｅｃｅｌスイッチ、Ｃａｎ−Ｄｅｃｅｌスイッチとして機能して、それ等の操作に従って減速度の増減制御が行なわれる一方、Ｓモードが選択されると、Ｄｅｃｅｌ／−スイッチ８０およびＣａｎ−Ｄｅｃｅｌ／＋スイッチ８２はそれぞれ−スイッチ、＋スイッチとして機能して、それ等の操作に従って変速レンジのアップダウン制御が行われる。
【００６７】
このように、運転者の手動操作による減速度制御（Ｅモード）およびレンジ切換制御（Ｓモード）が、共通のシフトレバー７２およびＤｅｃｅｌ／−スイッチ８０、Ｃａｎ−Ｄｅｃｅｌ／＋スイッチ８２を用いて行なわれるとともに、モード切換スイッチ７８等によってＥモードとＳモードとが切り換えられるようになっているため、それ等の手動操作部材や操作検出手段をモード毎に別々に設ける場合に比較して、装置が全体として簡単且つ安価でコンパクトに構成されるとともに、操作性が向上する。
【００６８】
また、シフトレバー７２が「Ｅ／Ｓ」ポジションから前側に設けられた「Ｃａｎ−Ｄｅｃｅｌ／＋」位置に操作されると、Ｅモードが選択されている場合には車両の減速度が小さくされるとともに、Ｓモードが選択されている場合には変速レンジがアップされる一方、後側に設けられた「Ｄｅｃｅｌ／−」位置に操作されると、Ｅモードが選択されている場合には車両の減速度が大きくされるとともに、Ｓモードが選択されている場合には変速レンジがダウンされる。ここで、車両減速時にあっては、自動変速機１０の変速レンジがアップされると車両の減速度が小さくなり、変速レンジがダウンされると車両の減速度が大きくなる。このように、Ｓモードが選択されている場合であっても、Ｅモードが選択されている場合と同様、「Ｃａｎ−Ｄｅｃｅｌ／＋」位置は車両の減速度を小さくする操作位置とされ、「Ｄｅｃｅｌ／−」位置は車両の減速度を大きくする操作位置とされるので、操作性が向上する。「Ｃａｎ−Ｄｅｃｅｌ／＋」位置は第１位置で、「Ｄｅｃｅｌ／−」位置は第２位置に相当する。
【００６９】
また、車両が停車状態にないときには、つまり車両の走行中は、モード切換スイッチ７８の操作に拘らずＥモードとＳモードとの切換が禁止されるため（ステップＳ３）、モード切換スイッチ７８の誤操作などにより、走行中に車両の駆動力（制動力を含む）が大きく変化するなどして運転者に違和感を生じさせることが防止される。
【００７０】
また、図６に示すようにＥモードおよびＳモード毎にシフトレバー７２の操作ガイドすなわち各操作位置における指示内容が、レバーポジションインジケータ１０２のガイド表示部１１４に表示されるため、単にモード名を表示するだけの場合に比較して、シフトレバー７２の操作が容易になるとともに誤操作が抑制される。
【００７１】
また、ＥモードおよびＳモードの何れか一方がフェール等で実行不可の時には他方のモードに強制的に切り換えられるため（ステップＳ１、Ｓ４、Ｓ７）、走行中にフェールした場合でも、その他方のモードで駆動力を制御しながら走行することができる。
【００７２】
また、車両のメインスイッチ（ＩＧスイッチ８４）がオン操作された以後の初期モードとして、運転者の手動操作によって設定されたモードが設定されることから（ステップＲ４）、初期モードの設定に運転者の意図を反映させることができる。手動操作によって初期モードが設定されていない場合は、車両のメインスイッチ（ＩＧスイッチ８４）がオン操作された以後の初期モードとして、メインスイッチがオフ操作された時に設定されていた最終のモードが設定されることから（ステップＱ２−２）、その場合も初期モードの設定に運転者の意図が反映される。
【００７３】
次に、本発明の他の実施例を説明する。なお、以下の実施例において前記実施例と実質的に共通する部分には同一の符号を付して詳しい説明を省略する。
【００７４】
図１５は前記図７に相当する図で、マニュアル変速モードとしてＳモード（レンジ切換モード）の他にＭモード（ギヤ段切換モード）を選択できる場合であり、マニュアル変速制御手段１３０はレンジ切換制御手段１３２およびギヤ段切換制御手段１３４を備えており、レンジ切換制御手段１３２は実質的に前記実施例のマニュアル変速制御手段１２４と同じ機能を有する一方、ギヤ段切換制御手段１３４は、前記図９に示す各変速レンジの最高速ギヤ段のみを用いて、運転者のシフトレバー７２によるアップダウン操作に従って自動変速機１０を変速する。そして、この場合のモード切換制御手段１３６は、ＥモードとＭモードとが直接切り換えられることがないように、例えば図１６に示すフローチャートに従ってモード切換を行う。
【００７５】
図１６は、車両の走行中においてもモード切換が可能な場合で、ステップＳＳ１では、モード切換スイッチ７８がオン操作されたか否かを判断し、オン操作された場合はステップＳＳ２で現在のモードがＳモードすなわちレンジ切換モードか否かを判断する。そして、ＳモードでなければステップＳＳ６を実行し、Ｓモードへ切り換えるとともに、表示制御手段１２８によりＥ／Ｓモードインジケータ１０４をＳモードとし、レバーポジションインジケータ１０２のガイド表示部１１４の操作ガイドを、図１７の(b) に示すＳモード用に変更する。また、現在のモードがＳモードでない場合は、ステップＳＳ３以下を実行する。
【００７６】
ステップＳＳ３では、前回（一つ前）のモードがＭモードすなわちギヤ段切換モードか否かを判断し、Ｍモードの場合は、ステップＳＳ４でＥモードへ切り換えるとともに、表示制御手段１２８によりＥ／Ｓモードインジケータ１０４をＥモードとし、レバーポジションインジケータ１０２のガイド表示部１１４の操作ガイドを、図１７の(a) に示すＥモード用に変更する。また、前回のモードがＭモードでない場合、すなわちＥモードの場合は、ステップＳＳ５でＭモードへ切り換えるとともに、表示制御手段１２８によりＥ／Ｓモードインジケータ１０４をＭモードとし、レバーポジションインジケータ１０２のガイド表示部１１４の操作ガイドを、図１７の(c) に示すＭモード用に変更する。
【００７７】
この実施例では、マニュアル変速モードとしてＳモード（レンジ切換モード）およびＭモード（ギヤ段切換モード）を有し、Ｅモード（減速度制御モード）と合わせて３つのモードを択一的に選択できるが、自動変速機１０のギヤ段が直接設定されるＥモードとＭモードとの直接切換が不可とされているため、モード切換スイッチ７８の誤操作などにより、車両の駆動力（制動力を含む）が大きく変化するなどして運転者に違和感を生じさせることが防止される。すなわち、Ｍモードは、変速比が異なる複数のギヤ段を運転者の手動操作に従って直接切り換えるものであるため、ＥモードとＭモードとの直接切換によって生じる駆動力変化は、ＥモードとＳモードとの直接切換によって生じる駆動力変化よりも相対的に大きくなる可能性がある。しかし、本実施例ではＥモードとＭモードとの直接切換が不可とされているため、モード切換スイッチ７８の誤操作などが生じたとしても、駆動力変化が小さくなり、運転者に違和感を生じさせることが防止されるのである。
【００７８】
なお、この実施例においても、前記実施例と同様に車両走行中のモード切換を禁止し、停止時（Ｖ＜Ｖ１）にのみモード切換が行われるようにしても良い。
【００７９】
また、前記実施例ではＥモードやＳモード、Ｍモード用の手動操作部材としてシフトレバー７２が用いられていたが、図１８に示すようにステアリングホイール１４０の近傍のステアリングコラム１４２に、ＥモードやＳモード、Ｍモード専用のＤｅｃｅｌ／−レバー１４４およびＣａｎ−Ｄｅｃｅｌ／＋レバー１４６を設け、矢印で示すように回動操作（オン操作）されることにより図示しない操作検出手段（前記Ｄｅｃｅｌ／−スイッチ８０やＣａｎ−Ｄｅｃｅｌ／＋スイッチ８２など）によってその回動操作がそれぞれ検出されるようにしても良い。Ｄｅｃｅｌ／−レバー１４４およびＣａｎ−Ｄｅｃｅｌ／＋レバー１４６は何れも自動復帰型のレバーで、それぞれスプリング等の付勢手段により自動的に中立位置（オフ状態）まで戻り回動させられる。また、位置固定のステアリングコラム１４２に設けられているため、運転者がステアリングホイール１４０を回転操作している最中でも容易に操作できる。なお、シフトレバー７２に前記「Ｅ／Ｓ」ポジションを設けるとともに、ステアリングコラム１４２にＤｅｃｅｌ／−レバー１４４およびＣａｎ−Ｄｅｃｅｌ／＋レバー１４６を設け、運転者の好みや運転状態などによりどちらを操作しても減速度制御やマニュアル変速制御が可能なように構成することもできる。
【００８０】
以上、本発明の実施例を図面に基づいて詳細に説明したが、これ等はあくまでも一実施形態であり、本発明は当業者の知識に基づいて種々の変更，改良を加えた態様で実施することができる。
【図面の簡単な説明】
【００８１】
【図１】本発明が好適に適用されるハイブリッド車両用の駆動装置の基本構成を説明するブロック線図である。
【図２】(a) は図１の自動変速機の骨子図で、(b) は複数のギヤ段を成立させる際の係合要素の作動状態を説明する作動表である。
【図３】図２の自動変速機の共線図である。
【図４】図１の車両用駆動装置が備えている制御系統の要部を説明するブロック線図である。
【図５】シフトレバーのシフトパターンの一例を説明する図である。
【図６】図４のレバーポジションインジケータのガイド表示部の３種類の態様を示す図である。
【図７】減速度制御およびマニュアル変速制御に関して図４の電子制御ユニットが備えている機能を説明するブロック線図である。
【図８】図１の自動変速機の前進ギヤ段を自動的に切り換える変速マップの一例を示す図である。
【図９】図７のマニュアル変速制御手段によって切り換えられる変速レンジと変速範囲を説明する図である。
【図１０】図７の減速度制御手段によって減速度制御が行われる際の目標減速度を説明する図である。
【図１１】エンジンブレーキおよびモータジェネレータのトルク制御により車速に応じて得られる動力源ブレーキトルクを説明する図である。
【図１２】図７のモード切換制御手段の制御内容を具体的に説明するフローチャートである。
【図１３】図７の初期モード設定手段の制御内容を具体的に説明する図で、(a) はＩＧスイッチオフ操作時の制御で、(b) はＩＧスイッチオン操作時の制御である。
【図１４】図７の初期モード設定手段が運転者の手動操作に従って初期モードを設定する際の制御内容を説明するフローチャートである。
【図１５】マニュアル変速制御手段がレンジ切換制御手段およびギヤ段切換制御手段を有する場合の機能ブロック線図で、図７に対応する図である。
【図１６】図１５のモード切換制御手段の制御内容を具体的に説明するフローチャートである。
【図１７】図１５の実施例におけるレバーポジションインジケータのガイド表示部の３つの態様を説明する図である。
【図１８】ステアリングコラムに配設された手動操作部材の一例を説明する図である。
【符号の説明】
【００８２】
１０：自動変速機    ３０：エンジン    ３２：モータジェネレータ    ７２：シフトレバー（手動操作部材）    ７８：モード切換スイッチ（モード選択手段）    ８０：Ｄｅｃｅｌ／−スイッチ（操作検出手段）    ８２：Ｃａｎ−Ｄｅｃｅｌ／＋スイッチ（操作検出手段）    ８４：ＩＧスイッチ（メインスイッチ）    １００：電子制御ユニット    １１４：ガイド表示部（ガイド表示手段）    １２０：モード切換制御手段    １２２：初期モード設定手段    １２４：マニュアル変速制御手段（レンジ切換制御手段）    １２６：減速度制御手段    １２８：表示制御手段（ガイド表示手段）    １３０：マニュアル変速制御手段    １３２：レンジ切換制御手段    １３４：ギヤ段切換制御手段    １３６：モード切換制御手段    １４４：Ｄｅｃｅｌ／−レバー（手動操作部材）    １４６：Ｃａｎ−Ｄｅｃｅｌ／＋レバー（手動操作部材）
【図１】
2006313002.tif 000003
【図２】
2006313002.tif 000004
【図３】
2006313002.tif 000005
【図４】
2006313002.tif 000006
【図５】
2006313002.tif 000007
【図６】
2006313002.tif 000008
【図７】
2006313002.tif 000009
【図８】
2006313002.tif 000010
【図９】
2006313002.tif 000011
【図１０】
2006313002.tif 000012
【図１１】
2006313002.tif 000013
【図１２】
2006313002.tif 000014
【図１３】
2006313002.tif 000015
【図１４】
2006313002.tif 000016
【図１５】
2006313002.tif 000017
【図１６】
2006313002.tif 000018
【図１７】
2006313002.tif 000019
【図１８】
2006313002.tif 000020